(57)【要約】【課題】形態変化の拡張性が高い組み立て式玩具を提供する。【解決手段】組み立て式玩具は、床部材１１と、床部材１１に着脱可能に接続可能な支柱部材１２と、支柱部材１２に着材自在に接続可能な壁部材１３とを少なくとも備え、床部材１１を玩具設置面ＦＳに載置し、この床部材１１に支柱部材１２を接続し、この支柱部材１２に壁部材１３を接続することによって箱型のハウスが組み立てられるように構成されている。【選択図】図１３
2018183679.tif 000002
【特許請求の範囲】
【請求項１】
組み立て式玩具であって、
床部材と、前記床部材に着脱可能に接続可能であって、第１の部品と当該第１の部品よりも長辺の長さが長い第２の部品とを結合することによって構成される支柱部材と、前記支柱部材に着脱可能に接続可能な壁部材と、を少なくとも備え、
前記床部材を玩具設置面に載置し、前記第１の部品と前記第２の部品の結合状態において、前記床部材上に前記第１の部品を接続すると共に、前記床部材の外周の玩具設置面に前記第２の部品を載置し、前記支柱部材に前記壁部材を接続することによって、ハウスが組み立てられるように構成されている、
組み立て式玩具。
【請求項２】
前記第１の部品は、前記玩具設置面に載置された前記床部材上に接続した状態で当該床部材上に直立するように構成され、
前記壁部材は、前記床部材に接続された前記第１の部品に接続した状態で当該床部材上に直立するように構成されている、
請求項１に記載の組み立て式玩具。
【請求項３】
前記ハウスを構成する前記支柱部材と前記壁部材はそれぞれ複数である、
請求項１または２に記載の組み立て式玩具。
【請求項４】
前記第２の部品は、前記玩具設置面に載置された前記床部材上に前記第１の部品を接続した状態で前記玩具載置面に接する脚部を含む、
請求項１〜３のいずれか１項に記載の組み立て式玩具。
【請求項５】
前記脚部の高さは、前記床部材の高さに等しく、且つ、前記第２部品の長辺の長さと前記第１部品の長辺の長さとの差に等しく構成されている、
請求項４に記載の組み立て式玩具。
【請求項６】
前記第１の部品、及び前記第２の部品は、半円柱状に構成されている、
請求項１〜５のいずれか１項に記載の組み立て式玩具。
【請求項７】
組み立てられた前記ハウスは、前面、右側面、及び上面が開放されている、
請求項１〜６のいずれか１項に記載の組み立て式玩具。
【請求項８】
前記床部材は、前記支柱部材の一部を着脱可能に接続可能な複数の接続部を備え、
前記支柱部材は、前記壁部材の一部を着脱可能に接続可能な複数の接続部を備える、
請求項１〜７のいずれか１項に記載の組み立て式玩具。
【請求項９】
前記支柱部材を構成する前記第１の部品と前記第２の部品の間に、前記複数の接続部の一部が形成されている、
請求項８に記載の組み立て式玩具。
【請求項１０】
前記床部材の前記複数の接続部は孔から成り、前記支柱部材の一部は前記孔に着脱可能に差し込み可能な突起から成り、
前記支柱部材の前記複数の接続部は溝から成り、前記壁部材の一部は前記溝に着脱可能に差し込み可能な前記壁部材の縁部分である、
請求項８または９に記載の組み立て式玩具。
【請求項１１】
前記壁部材の表面に付設可能な壁紙部材をさらに備える、
請求項１〜１０のいずれか１項に記載の組み立て式玩具。
【請求項１２】
前記壁部材の表面に付設可能な装飾部材をさらに備える、
請求項１〜１１のいずれか１項に記載の組み立て式玩具。
【請求項１３】
前記床部材が２以上のときに、隣接する前記床部材を連結するための着脱可能な連結部材をさらに備える、
請求項１〜１２のいずれか１項に記載の組み立て式玩具。
【請求項１４】
前記ハウスに着脱可能に接続可能な屋根部材をさらに備える、
請求項１〜１３のいずれか１項に記載の組み立て式玩具。
【請求項１５】
組み立て式玩具と人形部材とを備える組み立て式玩具セットであって、
前記組み立て式玩具は、
床部材と、前記床部材に着脱可能に接続可能であって、第１の部品と当該第１の部品よりも長辺の長さが長い第２の部品とを結合することによって構成される支柱部材と、前記支柱部材に着脱可能に接続可能な壁部材と、を少なくとも備え、
前記床部材を玩具設置面に載置し、前記第１の部品と前記第２の部品の結合状態において、前記床部材上に前記第１の部品を接続すると共に、前記床部材の外周の玩具設置面に前記第２の部品を載置し、前記支柱部材に前記壁部材を接続することによって、ハウスが組み立てられるように構成され、
前記人形部材は、
前記ハウスを構成する前記床部材上に載置可能である、
組み立て式玩具セット。
【請求項１６】
前記人形部材は、胴体部と、前記胴体部に着脱可能に、かつ、回転可能に取り付け可能な頭部とを少なくとも有する、
請求項１５に記載の組み立て式玩具セット。
【請求項１７】
前記人形部材は、前記胴体部に着脱可能に、かつ、回転可能に取り付け可能な上肢部と下肢部とをさらに有する、
請求項１６に記載の組み立て式玩具セット。
【請求項１８】
前記人形部材は、前記頭部に着脱可能に、かつ、回転可能に取り付け可能な耳部をさらに有する、
請求項１６または１７に記載の組み立て式玩具セット。
【請求項１９】
前記人形部材は、前記頭部に着脱可能に取り付け可能な帽子部をさらに有し、
前記帽子部は、前記頭部に取り付けた状態で当該帽子部を介して前記耳部を前記頭部に取り付けることができるように構成されている、
請求項１８に記載の組み立て式玩具セット。
【発明の詳細な説明】
【技術分野】
【０００１】
本発明は、各種部材を適宜接続することによって組み立てることができる組み立て式玩具に関する。
【背景技術】
【０００２】
前掲の組み立て式玩具に関し、後記特許文献１には複数のパネルをコーナー部材を用いて接続して組み立てることができる構造体が開示されている。しかしながら、この構造体は、所定外観の家屋の組み立てを主眼としたものであり、形態変化の拡張性が低いため、好みの形態を組み立てる行為に基づく楽しさおよび面白さを遊戯者に与えることは難しい。
【先行技術文献】
【特許文献】
【０００３】
【特許文献１】特開平０９−０９９１８２号公報
【発明の概要】
【発明が解決しようとする課題】
【０００４】
本発明が解決しようとする課題は、形態変化の拡張性が高い組み立て式玩具を提供することにある。
【課題を解決するための手段】
【０００５】
本発明に係る組み立て式玩具は、床部材と、前記床部材に着脱可能に接続可能であって、第１の部品と当該第１の部品よりも長辺の長さが長い第２の部品とを結合することによって構成される支柱部材と、前記支柱部材に着脱可能に接続可能な壁部材と、を少なくとも備え、前記床部材を玩具設置面に載置し、前記第１の部品と前記第２の部品の結合状態において、前記床部材上に前記第１の部品を接続すると共に、前記床部材の外周の玩具設置面に前記第２の部品を載置し、前記支柱部材に前記壁部材を接続することによって、ハウスが組み立てられるように構成されている。また、本発明に係る組み立て式玩具セットは、前記組み立て式玩具は、床部材と、前記床部材に着脱可能に接続可能であって、第１の部品と当該第１の部品よりも長辺の長さが長い第２の部品とを結合することによって構成される支柱部材と、前記支柱部材に着脱可能に接続可能な壁部材と、を少なくとも備え、前記床部材を玩具設置面に載置し、前記第１の部品と前記第２の部品の結合状態において、前記床部材上に前記第１の部品を接続すると共に、前記床部材の外周の玩具設置面に前記第２の部品を載置し、前記支柱部材に前記壁部材を接続することによって、ハウスが組み立てられるように構成され、前記人形部材は、前記ハウスを構成する前記床部材上に載置可能である。
【発明の効果】
【０００６】
本発明に係る組み立て式玩具によれば、形態変化の拡張性が高いため、好みの形態を組み立てる行為に基づく楽しさおよび面白さを遊戯者に与えることができる。
【図面の簡単な説明】
【０００７】
【図１】図１（Ａ）は床部材の正面図、図１（Ｂ）は図１（Ａ）に示した床部材の平面図、図１（Ｃ）は図１（Ａ）に示した床部材の底面図である。
【図２】図２（Ａ）は支柱部材の正面図、図２（Ｂ）は図２（Ａ）に示した支柱部材の平面図、図２（Ｃ）は図２（Ａ）に示した支柱部材の底面図、図２（Ｄ）は図２（Ａ）に示した支柱部材の分解図である。
【図３】図３（Ａ）は壁部材の正面図、図３（Ｂ）は図３（Ａ）に示した壁部材の右側面図である。
【図４】図４（Ａ）は連結部材の正面図、図４（Ｂ）は図４（Ａ）に示した連結部材の平面図である。
【図５】図５（Ａ）はキャップ部材の正面図、図５（Ｂ）は図５（Ａ）に示したキャップ部材の底面図である。
【図６】図６（Ａ）は壁紙部材の正面図、図６（Ｂ）は図６（Ａ）に示した壁紙部材の右側面図である。
【図７】図７（Ａ）は飾り部材の正面図、図７（Ｂ）は図７（Ａ）に示した飾り部材の右側面図である。
【図８】図８（Ａ）は屋根部材の正面図、図８（Ｂ）は図８（Ａ）に示した屋根部材の右側面図、図８（Ｃ）は図８（Ａ）に示した屋根部材の平面図、図８（Ｄ）は図８（Ａ）に示した屋根部材の底面図である。
【図９】図９（Ａ）は他の屋根部材の正面図、図９（Ｂ）は図９（Ａ）に示した屋根部材の右側面図、図９（Ｃ）は図９（Ａ）に示した屋根部材の平面図、図９（Ｄ）は図９（Ａ）に示した屋根部材の底面図である。
【図１０】図１０（Ａ）は人形部材の正面図、図１０（Ｂ）は図１０（Ａ）に示した人形部材の分解図、図１０（Ｃ）は図１０（Ａ）に示した人形部材に取り付け可能な帽子部の正面図、図１０（Ｄ）は図１０（Ａ）に示した人形部材の頭部に帽子部を取り付けた状態を示す図である。
【図１１】図１１（Ａ）は第１の組み立て例に係る組み立て途中物の正面図、図１１（Ｂ）は図１１（Ａ）に示した組み立て途中物の平面図、図１１（Ｃ）は図１１（Ａ）に示した組み立て途中物の底面図である。
【図１２】図１２（Ａ）は第１の組み立て例に係る組み立て途中物の正面図、図１２（Ｂ）は図１２（Ａ）に示した組み立て途中物の平面図である。
【図１３】図１３は第１の組み立て例に係る組み立て完了物の正面図である。
【図１４】図１４は第２の組み立て例に係る組み立て途中物の底面図である。
【図１５】図１５は第２の組み立て例に係る組み立て途中物の底面図である。
【図１６】図１６は第２の組み立て例に係る組み立て完了物の正面図である。
【図１７】図１７は第３の組み立て例に係る組み立て完了物の正面図である。
【図１８】図１８は第４の組み立て例に係る組み立て完了物の正面図である。
【図１９】図１９は（Ａ）は他の支柱部材の正面図、図１９（Ｂ）は図１９（Ａ）に示した支柱部材の平面図、図１９（Ｃ）は図１９（Ａ）に示した支柱部材の底面図である。
【図２０】図２０は第５の組み立て例に係る組み立て途中物の正面図である。
【発明を実施するための形態】
【０００８】
まず、図１〜図１０それぞれを用いて、組み立てに用いられる各種部材の構成について説明する。なお、以下の説明では、各図（Ａ）の上、下、左、右、手前、奥をそれぞれ上、下、左、右、前、後と表記する。また、説明中の幅、奥行き、高さ等の寸法は設計上の基準寸法を意味するものであって、製造上の寸法公差を含むものではない。
【０００９】
〈床部材１１〉
図１（Ａ）〜図１（Ｃ）は床部材１１を示す。この床部材１１は、正方形状の床面部１１ａと、床面部１１ａの下面外周に連続して形成された横長長方形状の４個の壁部１１ｂと、床面部１１ａの４隅それぞれに貫通して形成された横断面が円形状の４個の孔（接続部）１１ｃと、各壁部１１ｂの下部に等間隔で形成された横長長方形状の２個の溝１１ｄとを有している。また、孔１１ｃの高さ（符号省略）を床部材１１の高さＤ１ｃと同じにするために、床面部１１ａの下面には略円筒状の補強部１１ｃ１が一体に形成されている。
【００１０】
床部材１１の幅Ｄ１ａと奥行きＤ１ｂは同じであり、床部材１１の高さＤ１ｃは幅Ｄ１ａおよび奥行きＤ１ｂよりも小さい。また、左右方向で並ぶ孔１１ｃの中心間隔Ｄ１ｄと前後方向で並ぶ孔１１ｃの中心間隔Ｄ１ｅは同じである。さらに、左右方向で並ぶ溝１１ｄの幅Ｄ１ｆと前後方向で並ぶ溝１１ｄの幅Ｄ１ｇは同じであり、左右方向で並ぶ溝１１ｄの深さＤ１ｈと前後方向で並ぶ溝１１ｄの深さ（符号省略）は同じである。
【００１１】
〈支柱部材１２〉
図２（Ａ）〜図２（Ｃ）は支柱部材１２を示す。この支柱部材１２は、円柱状の柱部１２ａと、柱部１２ａの外周面に９０度間隔で形成された３個の溝（接続部）１２ｂと、柱部１２ａの下側に連続して形成された半円柱状の脚部１２ｃと、柱部１２ａの下面（脚部１２ｃが存在しない半円形部分）に形成された円柱状の２個の突起１２ｄと、柱部１２ａの上面に突起１２ｄと向き合うように形成された２個の突起１２ｅとを有している。下側の２個の突起１２ｄそれぞれは、床部材１１の孔１１ｃに着脱可能に差し込める形状となっている。
【００１２】
柱部１２ａの高さＤ２ａは床部材１１の高さＤ１ａおよび奥行きＤ１ｂと同じである。また、各溝１２ｂの高さ（符号省略）は柱部１２ａの高さＤ２ａと同じであり、各溝１２ｂの幅（符号省略）および深さ（符号省略）は互いに同じである。ちなみに、３個の溝１２ｂのうち、脚部１２ｃに近い２個の溝１２ｂは上端を開放し、かつ、下端の一部が脚部１２ｃの上端で覆われており、残りの１個の溝１２ｂは上端および下端を開放している。さらに、脚部１２ｃの高さＤ２ｂは床部材１１の高さＤ１ｃと同じである。さらに、下側の２個の突起１２ｄおよび上側の２個の突起１２ｅの高さ（いずれも符号省略）は孔１１ｃの高さ（＝床部材１１の高さＤ１ｃ）よりも僅かに小さい。
【００１３】
支柱部材１２は、好ましくは、図２（Ｄ）に示した半円柱状の２個の部品Ｅ１およびＥ２を結合することによって構成されている。一方の部品Ｅ１には、溝１２ｂを２分割した形に相当する２個の凹部１２ｂ１と脚部１２ｃを有する他、結合面ＪＦ１に２個以上の位置決め部Ｊ１を有している。他方の部品Ｅ２には、溝１２ｂを２分割した形に相当する２個の凹部１２ｂ２と溝１２ｂと下側の２個の突起１２ｄおよび上側の２個の突起１２ｅを有する他、結合面ＪＦ２に位置決め部Ｊ１と同数の位置決め部Ｊ２を有している。ちなみに、位置決め部Ｊ１と位置決め部Ｊ２には、相互の嵌め合わせを可能とした凸部と凹部が使用できる。
【００１４】
図２（Ｄ）に示した２個の部品Ｅ１およびＥ２によって支柱部材１２を作製するときには、位置決め部ＪＩおよびＪ２を利用して位置決めを行いながら互いの結合面ＪＦ１およびＪＦ２を結合すれば良い。この結合により、部品Ｅ１の２個の凹部１２ｂ１と部品Ｅ２の２個の凹部１２ｂ１とが組み合わさって２個の溝１２ｂが形成される。勿論、位置決め部Ｊ１と位置決め部Ｊ２とを嵌め合わせたときの連結力をより強固にするために、接着剤を使用しても良い。
【００１５】
〈壁部材１３〉
図３（Ａ）および図３（Ｂ）は壁部材１３を示す。この壁部材１３は縦長長方形状を成す。壁部材１３の幅Ｄ３ａは床部材１１の幅Ｄ１ａおよび奥行きＤ１ｂよりも小さく、壁部材１３の高さＤ３ｂは支柱部材１２の柱部１２ａの高さＤ２ａ（＝各溝１２ｂの高さ）と同じであり、壁部材１３の厚さＤ３ｃは支柱部材１２の各溝１２ｂの幅よりも僅かに小さい。すなわち、壁部材１３の左右の縁部分それぞれは、支柱部材１２の各溝１２ｂに着脱可能に差し込める形状となっている。
【００１６】
〈連結部材１４〉
図４（Ａ）および図４（Ｂ）は連結部材１３を示す。この連結部材１３は、上面に縦断面が縦長長方形状の連結溝１４ａを前後方向に亘って有している。連結部材１４の奥行きＤ４ａは床部材１１の溝１１ｄの幅Ｄ１ｆおよび幅Ｄ１ｇよりも僅かに小さい。また、連結溝１４ａの幅Ｄ４ｂは床部材１１の壁部１１ｂの厚さ（符号省略）の２倍値に相当する。さらに、連結部材１３の連結溝１４ａの下側部分の厚さＤ４ｃは床部材１１の溝１１ｄの深さＤ１ｈよりも僅かに小さい。
【００１７】
〈キャップ部材１５〉
図５（Ａ）および図５（Ｂ）は支柱部材１２用のキャップ部材１５を示す。このキャップ部材１５は円柱状を成し、支柱部材１２の上側の２個の突起１２ｅに対応した２個の穴１５ａを下面に有している。キャップ部材１５の外径（符号省略）は支柱部材１２の柱部１２ａの外径（図示省略）と同じであり、２個の穴１５ａは支柱部材１２の上側の２個の突起１２ｅを着脱可能に差し込める形状となっている。
【００１８】
〈壁紙部材１６〉
図６（Ａ）および図６（Ｂ）はは壁部材１３用の壁紙部材１６を示す。この壁紙部材１６は縦長長方形状を成す。壁紙部材１６の幅（符号省略）は壁部材１３の幅Ｄ３ａと同じであり、壁紙部材１６の高さ（符号省略）は壁部材１３の高さＤ３ｂと同じである。また、壁紙部材１６の厚さ（符号省略）は壁部材１３の厚さＤ３ｃに比べて遙かに小さい。
【００１９】
〈装飾部材１７〉
図７（Ａ）および図７（Ｂ）は壁部材１３用の装飾部材１７を示す。この装飾部材１７は壁部材１３に突き刺して付設することができる針部１７ａを後面に有している。なお、図７には星形の装飾部材１７を示したが、星形以外の形状のものであっても良いし、時計や絵や鏡や棚等を模したものであっても良い。
【００２０】
〈屋根部材１８-1〉
図８（Ａ）〜図８（Ｄ）は第１の屋根部材１８-1を示す。この第１の屋根部材１８-1は、上から見た形状がＬ字形を成す屋根部１８ａと、屋根部１８ａの内側下部に一体に形成された支持部１８ｂと、支持部１８ｂの下面に形成された５個の穴（接続部）１８ｃとを有している。５個の穴１８ｃは、支柱部材１２の上側の２個の突起１２ｅに対応して形成されていて、突起１２ｅを着脱可能に差し込める形状となっている。
【００２１】
〈屋根部材１８-2〉
図９（Ａ）〜図９（Ｄ）は第２の屋根部材１８-2を示す。この第２の屋根部材１８-2は、上から見た形状が横長長方形である点と、穴（接続部）１８ｃの数が２個である点において、図８に示した第１の屋根部材１８-1と相違する。
【００２２】
〈人形部材１９〉
図１０（Ａ）および図１０（Ｂ）は人形部材１９を示す。この人形部材１９は、頭部１９ａと胴体部１９ｂと２個の耳部１９ｃと２個の上肢部１９ｄと２個の下肢部１９ｅとを有しており、好ましくは２個の下肢部１９ｅによる自立を可能としている。頭部１９ａは円柱状の突起１９ａ１を有しており、胴体部１９ｂの穴１９ｂ１に着脱可能に、かつ、回転可能に取り付けることができる。各耳部１９ｃは円柱状の突起１９ｃ１を有しており、頭部１９ａの穴１９ａ２に着脱可能に、かつ、回転可能に取り付けることができる。各上肢部１９ｄは円柱状の突起１９ｄ１を有しており、胴体部１９ｂの穴１９ｂ２に着脱可能に、かつ、回転可能に取り付けることができる。各下肢部１９ｅは円柱状の突起１９ｅ１を有しており、胴体部１９ｂの穴１９ｂ３に着脱可能に、かつ、回転可能に取り付けることができる。
【００２３】
図１０（Ｃ）は人形部材１９の頭部１９ａに着脱可能に取り付け可能な帽子部１９ｆを示す。この帽子部１９ｆは、頭部１９ａの穴１９ａ２に対応した２個の孔１９ｆ１を有している。図１０（Ａ）に示した人形部材１９の頭部１９ａに帽子部１９ｆを取り付けるときには、図１０（Ｄ）に示したように、各耳部１９ｃを取り外した頭部１９ａに帽子部１９ｆを取り付けた後、各耳部１９ｃの突起１９ｃ１を帽子部１９ｆの孔１９ｆ１を通じて頭部１９ａの穴１９ａ２に差し込めば良い。
【００２４】
図１０（Ａ）に示した人形部材１９は、胴体部１９ｂに対して頭部１９ａと２個の耳部１９ｃと２個の上肢部１９ｄと２個の下肢部１９ｅのそれぞれを回転させることにより、各々の向きを好みに応じて変えることができる。また、胴体部１９ｂから２個の下肢部１９ｅを取り外しても胴体部１９ｂによる自立ができるように構成すれば、椅子やソファ等の上に座った様子を醸し出すこともできる。なお、図１０には哺乳類を模した人形部材１９を示したが、哺乳類以外の動物を模したものであっても良い。
【００２５】
次に、図１１〜図１３を用いて、前記各種部材を用いた第１の組み立て例について説明する。この第１の組み立て例は、１個の床部材１１と３個の支柱部材１２と２個の壁部材１３を主として用いたものである。
【００２６】
組み立てに際しては、図１１（Ａ）〜図１１（Ｃ）に示したように、平坦な玩具設置面ＦＳに１個の床部材１１を載置する。続いて、この床部材１１の３個の孔（接続部）１１ｃに３個の支柱部材１２の下側の２個の突起１２ｄの一方をそれぞれ差し込んで接続する。この接続状態では、各支柱部材１２は柱部１２ａの下面（脚部１２ｃが存在しない半円形部分）が床面部１１ａに接して床部材１１上に直立する。また、各支柱部材１２の脚部１２ｃの高さＤ２ｂ（図２（Ａ）を参照）が床部材１１の高さＤ１ｃ（図１（Ａ）を参照）と同じであることから各脚部１２の下面が玩具設置面ＦＳに接する。すなわち、床部材１１に接続された各支柱部材１２は各々の脚部１２ｃの下面が玩具設置面ＦＳに接することによりその姿勢が安定化する。また、各支柱部材１２の下面の一部（脚部１２ｃ）を床部材１１上に直立させない構成としたことにより、各支柱部材１２の下面の全部を床部材１１上に直立させた構成と比較して、人形部材１９等を載置・移動可能な遊戯面（遊戯範囲）を広く取ることが可能となる。
【００２７】
続いて、図１２（Ａ）および図１２（Ｂ）に示したように、床部材１１に接続された３個の支柱部材１２のうち、隣接する２個の支柱部材１２の対向する溝（接続部）１２ｂに１個目の壁部材１３の左右の縁部分を差し込んで接続し、他の隣接する２個の支柱部材１２の対向する溝（接続部）１２ｂに２個目の壁部材１３の左右の縁部分を差し込んで接続する。この接続状態では、各壁部材１３はその下端が床面部１１ａに接して床部材１１上に直立する。補足すると、図１２（Ｂ）に示したように、壁部材１３の幅Ｄ３ａ（図３（Ａ）を参照）は、床部材１１に接続された３個の支柱部材１２の前記対向溝の最深部の間隔に見合うものとなっているため、３個の支柱部材１２に２個の壁部材１３を接続しても各支柱部材１２に傾き等は生じない。
【００２８】
また、３個の支柱部材１２に２個の壁部材１３と一緒に壁紙部材１６を接続する場合には、壁部材１３の一面に壁紙部材１６を重ねたものの左右の縁部分を前記対向溝に差し込んで接続すれば良い。先に述べたように、壁紙部材１６の厚さ（符号省略）は壁部材１３の厚さＤ３ｃ（図３（Ｂ）を参照）に比べて遙かに小さいため、壁部材１３の一面に壁紙部材１６を重ねたものを差し込むときに特段支障は生じない。
【００２９】
続いて、図１３に示したように、３個の支柱部材１２の上面にキャップ部材１５をそれぞれ取り付けるとともに、壁部材１３または壁部材１３の一面に壁紙部材１６を重ねたものに装飾部材１７の針部１７ａを突き刺して付設するとともに、床部材１１の床面部１１ａ上に人形部材１９を載置する。補足すると、壁部材１３の一面に壁紙部材１６を重ねたものに装飾部材１７の針部１７ａを突き刺して付設した場合には、装飾部材１７の針部１７ａによって壁紙部材１６の位置ズレや皺発生等を防ぐことができる。
【００３０】
以上で、１個の床部材１１の床面部１１ａに相当する床面を有する箱型のハウス（符号省略）を組み立てることができる。図１３に示した箱型のハウスは前面と右側面と上面を開放したものであるため、箱型のハウスの様子を３方向から見て楽しむことができる。ここで、箱型のハウスとは、少なくとも床部材１１と支柱部材１２と壁部材１３とにより箱型を成す遊戯空間（疑似部屋）が形成されるハウスであって、一部の面を開放したハウスを含む概念である。このように、一部の面を開放することにより、遊戯空間（疑似部屋）における人形部材１９等を用いた遊戯が可能となる。また、ハウスを箱型とすることにより、他のハウスとの少なくとも前後、左右、上下の何れかにおける連結や、ハウス同士の位置の組み替えを容易とし、拡張性の高い組み立て式玩具を提供することが可能となる。  
【００３１】
次に、図１４〜図１６を用いて、前記の各種部材を用いた第２の組み立て例について説明する。この第２の組み立て例は、２個の床部材１１と４個の支柱部材１２と３個の壁部材１３を主として用いたものである。
【００３２】
組み立てに際しては、図１４に示したように、平坦な玩具設置面ＦＳに２個の床部材１１を上下反転して並べて載置し、相互接触する壁部１１ｂの２個の溝１１ｄそれぞれに連結部材１４を嵌めて、２個の床部材１１を連結する。そして、図１５に示したように、連結された２個の床部材１１を上下反転して玩具設置面ＦＳに載置し、この床部材１１の３個の孔（接続部）１１ｃに３個の支柱部材１２の下側の２個の突起１２ｄの一方をそれぞれ差し込んで接続するとともに、連結箇所付近の２個の孔（接続部）１１ｃに１個の支柱部材１２の下側の２個の突起１２ｄをそれぞれ差し込んで接続する。この接続状態では、各支柱部材１２は柱部１２ａの下面（脚部１２ｃが存在しない半円形部分）が床面部１１ａに接して床部材１１上に直立する。また、各支柱部材１２の脚部１２ｃの高さＤ２ｂ（図２（Ａ）を参照）が床部材１１の高さＤ１ｃ（図１（Ａ）を参照）と同じであることから各脚部１２の下面が玩具設置面ＦＳに接する。すなわち、２個の床部材１１に接続された各支柱部材１２は各々の脚部１２ｃの下面が玩具設置面ＦＳに接することによりその姿勢が安定化する。また、各支柱部材１２の下面の一部（脚部１２ｃ）を床部材１１上に直立させない構成としたことにより、各支柱部材１２の下面の全部を床部材１１上に直立させた構成と比較して、人形部材１９等を載置・移動可能な遊戯面（遊戯範囲）を広く取ることが可能となる。
【００３３】
続いて、２個の床部材１１に接続された４個の支柱部材１２のうち、隣接する２個の支柱部材１２の対向する溝（接続部）１２ｂに１個目の壁部材１３の左右の縁部分を差し込んで接続し、他の隣接する２個の支柱部材１２の対向する溝（接続部）１２ｂに２個目の壁部材１３の左右の縁部分を差し込んで接続し、他の隣接する２個の支柱部材１２の対向する溝（接続部）１２ｂに３個目の壁部材１３の左右の縁部分を差し込んで接続する。この接続状態では、各壁部材１３はその下端が床面部１１ａに接して２個の床部材１１上に直立する。補足すると、壁部材１３の幅Ｄ３ａ（図３（Ａ）を参照）は、２個の床部材１１に接続された４個の支柱部材１２の前記対向溝の最深部の間隔に見合うものとなっているため、４個の支柱部材１２に３個の壁部材１３を接続しても各支柱部材１２に傾き等は生じない。
【００３４】
また、４個の支柱部材１２に３個の壁部材１３と一緒に壁紙部材１６を接続する場合には、壁部材１３の一面に壁紙部材１６を重ねたものの左右の縁部分を前記対向溝に差し込んで接続すれば良い。先に述べたように、壁紙部材１６の厚さ（符号省略）は壁部材１３の厚さＤ３ｃ（図３（Ｂ）を参照）に比べて遙かに小さいため、壁部材１３の一面に壁紙部材１６を重ねたものを差し込むときに特段支障は生じない。
【００３５】
続いて、図１６に示したように、４個の支柱部材１２の上面にキャップ部材１５をそれぞれ取り付けるとともに、壁部材１３または壁部材１３の一面に壁紙部材１６を重ねたものに装飾部材１７の針部１７ａを突き刺して付設するとともに、床部材１１の床面部１１ａ上に人形部材１９を載置する。補足すると、壁部材１３の一面に壁紙部材１６を重ねたものに装飾部材１７の針部１７ａを突き刺して付設した場合には、装飾部材１７の針部１７ａによって壁紙部材１６の位置ズレや皺発生等を防ぐことができる。
【００３６】
以上で、２個の床部材１１の床面部１１ａに相当する床面を有する箱型のハウス（符号省略）を組み立てることができる。図１６に示した箱型のハウスは前面と右側面と上面を開放したものであるため、箱型のハウスの様子を３方向から見て楽しむことができる。
【００３７】
次に、図１７を用いて、前記各種部材を用いた第３の組み立て例について説明する。この第３の組み立て例は、１個の床部材１１と３個の支柱部材１２と２個の壁部材１３と１個の屋根部材１８-1を主として用いたものである。
【００３８】
この第３の組み立て例は、前記第１の組み立て例において３個の支柱部材１２の上面にキャップ部材１５を取り付ける代わりに１個の屋根部材１８-1を接続したものであるため、この点のみを説明する。図１３においてキャップ部材１５を取り付けていないものを組み立てた後は、３個の支柱部材１２の上側の６個の突起１２ｅのうちの５個の突起１２ｅを屋根部材１８-1の５個の穴（接続部）１８ｃにそれぞれ差し込んで接続する。
【００３９】
以上で、１個の床部材１１の床面部１１ａに相当する床面を有し、かつ、１個の屋根部材１８-1を有する箱型のハウス（符号省略）を組み立てることができる。屋根部材１８-1は箱型のハウスの上面全体を覆うものではなく、図１７に示した箱型のハウスは前面と右側面と上面一部を開放したものであるため、疑似部屋の様子を３方向から見て楽しむことができる。
【００４０】
次に、図１８を用いて、前記各種部材を用いた第４の組み立て例について説明する。この第４の組み立て例は、２個の床部材１１と４個の支柱部材１２と３個の壁部材１３と１個の屋根部材１８-1と１個の屋根部材１８-2を主として用いたものである。
【００４１】
この第４の組み立て例は、前記第２の組み立て例において４個の支柱部材１２の上面にキャップ部材１５を取り付ける代わりに１個の屋根部材１８-1と１個の屋根部材１８-2を接続したものであるため、この点のみを説明する。図１６においてキャップ部材１５を取り付けていないものを組み立てた後は、４個の支柱部材１２のうち、３個の支柱部材１２の上側の６個の突起１２ｅのうちの５個の突起１２ｅを屋根部材１８-1の５個の穴（接続部）１８ｃをそれぞれ差し込んで接続するとともに、２個の支柱部材１２の上側の残りの２個の突起１２ｅを屋根部材１８-2の２個の穴（接続部）１８ｃにそれぞれ差し込んで接続する。
【００４２】
以上で、２個の床部材１１の床面部１１ａに相当する床面を有し、かつ、１個の屋根部材１８-1および１個の屋根部材１８-2を有する箱型のハウス（符号省略）を組み立てることができる。屋根部材１８-1および１８-2は箱型のハウスの上面全体を覆うものではなく、図１８に示した箱型のハウスは前面と右側面と上面一部を開放したものであるため、箱型のハウスの様子を３方向から見て楽しむことができる。
【００４３】
次に、図１９および図２０を用いて、２階建ての箱型のハウスを組み立てる場合に有用な支柱部材１２-2と、この支柱部材１２-2を用いた第５の組み立て例について説明する。
【００４４】
図１９（Ａ）〜図１９（Ｃ）に示した支柱部材１２-2は、脚部１２ｃの下面に２個の穴１２ｆを有する点と、柱部１２ａの上面に穴１２ｆと向き合うように形成された２個の突起１２ｇを有する点において、図２に示した支柱部材１２と相違する。上側の２個の突起１２ｇそれぞれは、下側の２個の穴１２ｆに着脱可能に差し込める形状となっている。
【００４５】
図１９に示した支柱部材１２-2を用いて、例えば前記第１の組み立て例を２階建てとする場合には、図２０に示したように、１個の床部材１１と３個の支柱部材１２-2と２個の壁部材１３を主に用いて、１個の床部材１１の床面部１１ａに相当する床面を有する箱型のハウス（符号省略）を２個組み立てる。続いて、図２０下側の箱型のハウスの３個の支柱部材１２の上側の６個の突起１２ｇを、図２０上側の箱型のハウスの３個の支柱部材１２の下側の６個の穴１２ｆにそれぞれ差し込んで接続する。
【００４６】
前記第２の組み立て例を２階建てとする場合も、支柱部材１２の代わりに支柱部材１２-2を用いて組み立てられた２個の箱型のハウスを前記のように接続すれば、２階建ての箱型のハウスを組み立てることができる。また、図５に示したキャップ部材１５として支柱部材１２-2の上側の２個の突起１２ｇに対応した２個の穴を増加したものを用意し、図８に示した屋根部材１８-1として支柱部材１２-2の上側の２個の突起１２ｇに対応した２個の穴を増加したものを用意し、図９に示した屋根部材１８-2として支柱部材１２-2の上側の２個の突起１２ｇに対応した２個の穴を増加したものを用意しておけば、前記第１の組み立て例を２階建てとした場合や前記第２の組み立て例を２階建てとした場合でも、キャップ１５、屋根部材１８-1および屋根部材１８-2を同様に取り付けることができる。
【００４７】
前述の第１〜第５の組み立て例から明らかなように、前記各種部材、特に床部材１１と支柱部材１２および１２-2と壁部材１３を主に用いて、様々な形態を組み立てることがでる。すなわち、形態変化の拡張性が高いため、好みの形態を組み立てる行為に基づく楽しさおよび面白さを遊戯者に与えることができる。
【００４８】
また、床部材１１に接続された各支柱部材１２および１２-2を床部材１１上に直立させ、かつ、各支柱部材１２および１２-2に接続された各壁部材１３を床部材１１上に直立させることができるため、組み立て後の見栄えを向上させることができる。
【００４９】
さらに、床部材１１に接続された各支柱部材１２および１２-2は各々の脚部１２ｃの下面が玩具設置面ＦＳに接するようになっているため、各支柱部材１２および１２-2の姿勢が安定化するとともに、組み立て後の見栄えをより向上させることができる。また、各支柱部材１２の下面の一部（脚部１２ｃ）を床部材１１上に直立させない構成としたことにより、各支柱部材１２の下面の全部を床部材１１上に直立させた構成と比較して、人形部材１９等を載置・移動可能な遊戯面（遊戯範囲）を広く取ることが可能となる。
【００５０】
なお、説明の便宜上、第１〜第５の組み立て例を示したが、前記各種部材、特に床部材１１と支柱部材１２および１２-2と壁部材１３を主に用いて、第１〜第５の組み立て例と異なる形態、例えば３個以上の床部材１１の床面部１１ａに相当する床面を有する箱型のハウスや、２個以上の床部材１１の床面部１１ａに相当する床面を有するものに支柱部材１２および１２-2と壁部材１３の少なくとも一方を追加して２室以上に仕切った箱型のハウスや、３階建て以上の箱型のハウス等を適宜組み立てることができる。
【００５１】
また、前記各種部材のうち、装飾系部材として壁紙部材１６と装飾部材１７と人形部材１９を示したが、椅子やソファやテーブルやベッド等の家具、冷蔵庫や洗濯機等の家電用品、シンクや調理器具や食器等の台所用品、観葉植物、等の部材を用意しておけば、箱型のハウスの遊戯空間（疑似部屋）において、これらを選択的に用いることによる楽しさおよび面白さをも遊戯者に与えることができる。
【符号の説明】
【００５２】
１１…床部材、１１ｃ…孔（接続部）、１２…支柱部材、１２ｂ…溝（接続部）、１２ｃ…脚部、１２ｄ…突起、Ｅ１，Ｅ２…支柱部材用の部品、１３…壁部材、１４…連結部材、１５…キャップ部材、１６…壁紙部材、１７…装飾部材、１８-1，１８-2…屋根部材、１９…人形部材、１９ａ…頭部、１９ｂ…胴体部、１９ｃ…耳部、１９ｄ…上肢部、１９ｅ…下肢部、１９ｆ…帽子部
【図１】
2018183679.tif 000003
【図２】
2018183679.tif 000004
【図３】
2018183679.tif 000005
【図４】
2018183679.tif 000006
【図５】
2018183679.tif 000007
【図６】
2018183679.tif 000008
【図７】
2018183679.tif 000009
【図８】
2018183679.tif 000010
【図９】
2018183679.tif 000011
【図１０】
2018183679.tif 000012
【図１１】
2018183679.tif 000013
【図１２】
2018183679.tif 000014
【図１３】
2018183679.tif 000015
【図１４】
2018183679.tif 000016
【図１５】
2018183679.tif 000017
【図１６】
2018183679.tif 000018
【図１７】
2018183679.tif 000019
【図１８】
2018183679.tif 000020
【図１９】
2018183679.tif 000021
【図２０】
2018183679.tif 000022